(57)【要約】【課題】小型化された羽根駆動装置及び光学機器を提供することを課題とする。【解決手段】羽根駆動装置１は、光路開口５１を有した基板５０と、協働で光路開口５１を通過する光量を所定の光量に画定する羽根１０、２０とを備えている。羽根１０は、開口１５を有し、羽根２０は、開口１５と協働で光量を画定する切欠部２１と、開口１５と協働で光量を画定する切欠部２３とを有している。切欠部２１と開口１５とで光量を画定する際に、切欠部２３は、羽根１０に重なっている。【選択図】図１
2010096871.tif 000002
【特許請求の範囲】
【請求項１】
光路開口を有した基板と、
協働で前記光路開口を通過する光量を所定の光量に画定する第１、第２羽根とを備え、
前記第１羽根は、第１開口を有し、
前記第２羽根は、前記第１開口と協働で光量を画定する第１切欠部と、前記第１開口と協働で光量を画定する第２切欠部とを有し、
前記第１切欠部と前記第１開口とで光量を画定する際に、前記第２切欠部は、前記第１羽根に重なっている、羽根駆動装置。
【請求項２】
前記第２切欠部と前記第１開口とで光量を画定する際に、前記第１切欠部は、前記第１羽根に重なっている、請求項１の羽根駆動装置。
【請求項３】
前記第１、第２切欠部は、前記第２羽根の互いに対向する２辺のそれぞれに形成されている、請求項１又は２の羽根駆動装置。
【請求項４】
前記第２羽根は、前記第１開口と協働で光量を画定する第２開口を有している、請求項１乃至３の何れかの羽根駆動装置。
【請求項５】
前記第１、第２開口とで光量を画定する際に、前記第１、第２切欠部は、前記第１羽根に重なっている、請求項４の羽根駆動装置。
【請求項６】
前記第２開口は、前記第１、第２切欠部の間にある、請求項４又は５の羽根駆動装置。
【請求項７】
前記第１、第２羽根は、前記光路開口を全開状態及び絞り状態に画定する、請求項１乃至６の何れかの羽根駆動装置。
【請求項８】
前記第２羽根は、ＮＤフィルタを備えている、請求項１乃至７の何れかの羽根駆動装置。
【請求項９】
前記ＮＤフィルタは、前記第２開口を覆う、請求項４乃至６の何れかの羽根駆動装置。
【請求項１０】
前記ＮＤフィルタは、単一の部材であって、前記第１及び第２切欠部の少なくとも一方と、前記第２開口部とを覆う、請求項４乃至６の何れかの羽根駆動装置。
【請求項１１】
前記第１、第２羽根は、同一方向に移動する、請求項１乃至１０の何れかの羽根駆動装置。
【請求項１２】
前記第１、第２羽根は、所定の位置を支点として揺動する、請求項１乃至１２の何れかの羽根駆動装置。
【請求項１３】
前記第１開口は、前記第１切欠部と協働で光量を画定する第１縁部、前記第２切欠部と協働で光量を画定する第２縁部、前記第２開口と協働で光量を画定する第３縁部を含む、請求項４乃至６の何れかの羽根駆動装置。
【請求項１４】
請求項１乃至１３の何れかに記載の羽根駆動装置を備えた光学機器。
【発明の詳細な説明】
【技術分野】
【０００１】
本発明は、羽根駆動装置及び光学機器に関する。
【背景技術】
【０００２】
従来から、複数の羽根によって、基板に形成された光路開口を通過する通過光量を調整する装置が知られている。このような装置は、主に光学機器に採用される（特許文献１参照）。
【０００３】
【特許文献１】特開２００２−２９６６３７号公報
【発明の開示】
【発明が解決しようとする課題】
【０００４】
このような装置では、通過光量を絞る際には、２枚の羽根が光路開口を挟むように位置するものがある。２枚の羽根が光路開口を挟むように位置すると、互いに重なる部分の面積は小さいものとなる。複数の羽根の互いに重なる部分の面積が小さいと、羽根の装置全体に占めるスペースが大きくなる。このため、装置全体が大型化する恐れがある。
【０００５】
そこで、本発明は、小型化された羽根駆動装置及び光学機器を提供することを目的とする。
【課題を解決するための手段】
【０００６】
上記目的は、光路開口を有した基板と、協働で前記光路開口を通過する光量を所定の光量に画定する第１、第２羽根とを備え、前記第１羽根は、第１開口を有し、前記第２羽根は、前記第１開口と協働で光量を画定する前記第１切欠部と、前記第１開口と協働で光量を画定する第２切欠部とを有し、前記第１切欠部と前記第１開口とで光量を画定する際に、前記第２切欠部は、前記第１羽根に重なっている、羽根駆動装置によって達成できる。
【０００７】
これにより、光量を画定する際に、第１、第２羽根が互いに重なる部分の面積を大きくすることができる。よって、通過光量を画定する際において装置全体に占める第１、第２羽根のスペースを小さくすることができる。
【０００８】
また、上記の羽根駆動装置を備えた光学機器も小型化される。
【発明の効果】
【０００９】
本発明によれば、小型化された羽根駆動装置及び光学機器を提供できる。
【発明を実施するための最良の形態】
【００１０】
図１は、光学機器に採用される本実施例に係る羽根駆動装置の正面図である。羽根駆動装置１は、光学機器に搭載された撮像素子（不図示）への光量を調整する絞り装置として機能する。羽根駆動装置１は、羽根１０、２０、基板５０、ステップモータ９０を含む。羽根１０は第１羽根に相当し、羽根２０は、第２羽根に相当する。
【００１１】
基板５０の中央部には、被写体側からの光量が通過する光路開口５１が形成されている。羽根１０、２０は、協働で光路開口５１を通過する通過光量を調整する。詳細には、羽根１０、２０は、光路開口５１を通過する通過光量を最大にする全開状態、通過光量を最小に絞る小絞り状態、又は通過光量を最大未満であって最小より大きくする中絞り状態に画定可能である。
【００１２】
羽根１０、２０は、基板５０の支軸５８により、揺動可能に支持されている。羽根１０、２０は、基板５０の正面側に配置されている。ステップモータ９０は、基板５０の背面側に配置されている。ステップモータ９０は、羽根１０、２０の駆動源である。ステップモータ９０は、不図示のロータを備えており、ロータの回転に応じて、駆動ピン９９が所定の範囲を移動する。また、ロータは、所定の開動範囲の、一端、他端、及び一端と他端との間の途中位置で停止可能である。基板５０には、駆動ピン９９の軌跡に沿って円弧状の逃げ溝５９が設けられている。駆動ピン９９は、逃げ溝５９内を移動する。羽根１０、２０には、それぞれカム溝１９、２９が形成されている。駆動ピン９９とカム溝１９、２９とが係合している。駆動ピン９９が移動することにより、駆動ピン９９は、カム溝１９、２９内を移動し、これに伴い、羽根１０、２０が支軸５８を支点として揺動する。羽根１０は、羽根２０と基板５０とにより挟まれている。
【００１３】
次に、羽根１０、２０について詳細に説明する。図２（Ａ）は、羽根１０の説明図であり、図２（Ｂ）は、羽根２０の説明図である。羽根１０は、開口１５を有している。開口１５は、支軸５８と摺動する孔１８を支点とする仮想円弧線上に延びている。また、開口１５は第１開口に相当する。図２（Ａ）において、開口１５の上部には、第１縁部１５１、下部には第２縁部１５３、中央部には、第３縁部１５５が形成されている。第１縁部１５１の径は最も小さく、第３縁部１５５の径が最も大きい。開口１５は、径の相違する３つの円形状の開口が連続したような形状である。
【００１４】
羽根２０は、切欠部２１、２３、開口２５を有している。切欠部２１は、第１切欠部に相当し、切欠部２３は、第２切欠部に相当し、開口２５は第２開口に相当する。切欠部２１、２３は、羽根２０の互いに対向する２辺のそれぞれに形成されている。開口２５は、切欠部２１、２３に挟まれる位置に形成されている。切欠部２１、２３、開口２５は、孔２８を支点とする仮想円弧線上に設けられている。切欠部２１、２３は、円弧状に形成されている。切欠部２１の円弧径は切欠部２３の円弧径よりも小さい。切欠部２１の円弧径と、第１縁部１５１の円弧径とは略等しい。切欠部２３の円弧径と、第２縁部１５３の円弧径とは略等しい。開口２５の径は、切欠部２１、２３の円弧径よりも大きい。また、開口２５の径は、第３縁部１５５の円弧径よりも小さい。
【００１５】
まず、小絞り状態について説明する。
図１に示すように、切欠部２１と第１縁部１５１とが協働して、光路開口５１の径よりも小さい開口を画定する。これにより、光路開口５１を通過する通過光量が最小となる。この小絞り状態において、切欠部２１、２３、開口２５は羽根１０と重なっている。尚、基板５０には、小絞り状態での羽根１０、２０の位置を規定するストッパ５６が設けられている。尚、小絞り状態においては、ステップモータ９０のロータは開動範囲の一端で停止している。
【００１６】
次に、全開状態について説明する。
小絞り状態から、駆動ピン９９が移動範囲の略中央まで移動すると、羽根１０、２０は、反時計方向に揺動して、全開状態を画定する。図３は、全開状態での羽根駆動装置１の正面図である。図３に示すように、開口２５と第３縁部１５５とが協働して全開状態を画定する。ここで、開口１５の径は、光路開口５１の径よりも大きく、かつ第３縁部１５５の円弧径は、開口１５の径よりも大きいまた、開口２５の径は、第３縁部１５５円弧径よりも小さいので、光路開口２５の通過光量が最大となる。この全開状態において、切欠部２１、２３、開口２５は羽根１０と重なっている。尚、小絞り状態から全開状態の移行の際には、羽根１０よりも羽根２０の移動量が大きい。即ち、羽根１０、２０の双方が反時計方向に揺動するが、羽根２０の移動量は羽根１０よりもやや大きい。尚、全開状態においては、ステップモータ９０のロータは開動範囲の途中位置で停止している。
【００１７】
次に、中絞り状態について説明する。
全開状態から、駆動ピン９９が更に反時計方向に移動すると、羽根１０、２０は、更に反時計方向に揺動して、中絞り状態を画定する。図４は、中絞り状態での羽根駆動装置１の正面図である。図４に示すように、切欠部２３と第２縁部１５３とが協働して中絞り状態を画定する。この中絞り状態において、切欠部２１、２３、開口２５は羽根１０と重なっている。尚、全開状態から中絞り状態の移行の際にも、羽根２０の移動量は羽根１０よりもやや大きい。即ち、駆動ピン９９の同一の移動量に対して、羽根２０の移動量は羽根１０よりも大きい。このように移動量が相違するように、カム溝１９、２９が形成されている。尚、基板５０には、中絞り状態での羽根１０、２０の位置を規定するストッパ５７が設けられている。また、中絞り状態においては、ステップモータ９０のロータは開動範囲の他端で停止している。
【００１８】
図１、３、４に示したように、羽根１０、２０は、略全ての状態で略重なっている。詳細には、小絞り状態、全開状態、中絞り状態の何れの状態においても、切欠部２１、２３、開口２５は、羽根１０と常に重なっている。
【００１９】
このように、通過光量を画定する際に羽根１０、２０が常に重なっている。換言すれば、羽根１０、２０が重なっている面積が大きく、羽根１０、２０の大部分が常に重なっている。従って、羽根駆動装置１全体に占める羽根１０、２０のスペースをできる限り小さくすることができる。これにより、羽根駆動装置１の小型化が達成されている。
【００２０】
また、上述したように、羽根１０、２０は、協働して３つの状態を画定する。このように、２枚の羽根で３つの状態を画定するためには、１枚の羽根に複数の開口や切欠を設ける必要があり、１枚の羽根の大きさが大型化する傾向にある。しかしながら、本実施例の羽根駆動装置１のように、３つの状態において羽根１０、２０は略重なっているので、羽根駆動装置１全体に占める羽根１０、２０のスペースが小さくなっている。従って、羽根駆動装置１は、小型化されており、かつ通過光量の画定パターンが多い。
【００２１】
次に、羽根駆動装置の変形例について説明する。図５乃至図７は、第１変形例に係る羽根駆動装置１ａの正面図であり、それぞれ、小絞り状態、全開状態、中絞り状態を示している。
【００２２】
図５乃至図７に示すように、羽根２０ａの開口２５を覆うようにＮＤフィルタ２６ａが貼り付けられている。図６に示すように、全開状態において、ＮＤフィルタ２６ａを介した光が光路開口５１を通過する。羽根２０ａは大型化されているので、ＮＤフィルタ２６ａと羽根２０ａとの接着面積を大きくとることができる。これにより、ＮＤフィルタ２６ａが剥がれることが防止される。また、ＮＤフィルタ２６ａは羽根２０ａの切欠部２１又は２３に貼り付けられていても同様に、ＮＤフィルタ２６ａと羽根２０ａとの接着面積を大きくとることができ、ＮＤフィルタ２６ａが剥がれることを防止することができる。
【００２３】
次に、第２変形例に係る羽根駆動装置１ｂについて説明する。図８乃至図１０は、第２変形例に係る羽根駆動装置１ｂの正面図であり、それぞれ、小絞り状態、全開状態、中絞り状態を示している。
【００２４】
図８乃至図１０に示すように、羽根２０ｂには、切欠部２３、開口２５を覆うように単一のＮＤフィルタ２６ｂが貼り付けられている。これにより、図９、図１０に示すように、全開状態、中絞り状態において、ＮＤフィルタ２６ｂを介した光が光路開口５１を通過する。
【００２５】
開口２５を覆うＮＤフィルタと、切欠部２３を覆うＮＤフィルタを別々に貼り付ける場合と比較し、一枚のＮＤフィルタ２６ｂを貼り付ければよいので、作業が容易となる。また、羽根２０ｂとＮＤフィルタ２６ｂとの接着面積を大きくとることができ、ＮＤフィルタ２６ｂが剥がれることが防止される。
【００２６】
以上本発明の好ましい実施形態について詳述したが、本発明は係る特定の実施形態に限定されるものではなく、特許請求の範囲に記載された本発明の要旨の範囲内において、変形・変更が可能である。
【００２７】
本発明において、羽根２０には、開口２５が設けられていなくてもよい。すなわち、小絞り状態、全閉状態、中絞り状態を形成可能な羽根駆動装置及び光学機器であってもよい。
また、本発明の第２変形例において、切欠部２１と開口２５とを覆う単一のＮＤフィルタを設けてもよい。
【図面の簡単な説明】
【００２８】
【図１】図１は、本実施例に係る羽根駆動装置の正面図である。
【図２】図２（Ａ）（Ｂ）は、羽根の説明図である。
【図３】図３は、全開状態での羽根駆動装置の正面図である。
【図４】図４は、中絞り状態での羽根駆動装置の正面図である。
【図５】図５は、小絞り状態での第１変形例に係る羽根駆動装置の正面図である。
【図６】図６は、全開状態での第１変形例に係る羽根駆動装置の正面図である。
【図７】図７は、中絞り状態での第１変形例に係る羽根駆動装置の正面図である。
【図８】図８は、小絞り状態での第２変形例に係る羽根駆動装置の正面図である。
【図９】図９は、全開状態での第２変形例に係る羽根駆動装置の正面図である。
【図１０】図１０は、中絞り状態での第１変形例に係る羽根駆動装置の正面図である。
【符号の説明】
【００２９】
１、１ａ、１ｂ  羽根駆動装置
１０、２０、２０ａ、２０ｂ  羽根（第１羽根、第２羽根）
１５  開口（第１開口）
２１、２３  切欠部（第１切欠部、第２切欠部）
２５  開口（第２開口）
２６ａ、２６ｂ  ＮＤフィルタ
５０  基板
９０  ステップモータ
１５１  第１縁部
１５３  第２縁部
１５５  第３縁部
【図１】
2010096871.tif 000003
【図２】
2010096871.tif 000004
【図３】
2010096871.tif 000005
【図４】
2010096871.tif 000006
【図５】
2010096871.tif 000007
【図６】
2010096871.tif 000008
【図７】
2010096871.tif 000009
【図８】
2010096871.tif 000010
【図９】
2010096871.tif 000011
【図１０】
2010096871.tif 000012